(57)【要約】【課題】簡単な操作によりヘッダータンクを取り付けたり外したりすることができるラヂエーターを提供する。【解決手段】エンジンなどの冷却に使用された冷却水が流入させられる上部タンク２１と、この上部タンクから冷却水を流入させ冷却する冷却通路２２と、この冷却通路から冷却水が流入させられる下部タンク２３とを備えたラヂエーターにおいて、蓋体が取り付けられるフィラーネック２５、及び、冷却水内のエアー抜きを行うヘッダータンクに接続される取付アダプター２６の双方に実質的に共通した構造の連結部分が形成され、上部タンクにはフィラーネック又は取付アダプターの連結部分が着脱自在に嵌め込まれる取付部分が形成されている【選択図】図１
2005249295.tif 000002
【特許請求の範囲】
【請求項１】
エンジンなどの冷却に使用された冷却水が流入させられる上部タンクと、この上部タンクから冷却水を流入させ冷却する冷却通路と、この冷却通路から冷却水が流入させられる下部タンクとを備えたラヂエーターにおいて、蓋体が取り付けられるフィラーネック、及び、冷却水内のエアー抜きを行うヘッダータンクに接続される取付アダプターの双方に実質的に共通した構造の連結部分が形成され、前記上部タンクには前記フィラーネック又は前記取付アダプターの前記連結部分が着脱自在に嵌め込まれる取付部分が形成されていることを特徴とするラヂエーター。
【請求項２】
請求項１記載のラヂエーターに使用される、前記取付アダプターと、前記ヘッダータンクと、前記取付アダプター及び前記ヘッダータンクを連結する吐き出しホースとを一組のキットにしたことを特徴とするヘッダータンクキット。
【請求項３】
前記ヘッダータンクと下部タンク側とを接続する引き込みホースと、この引き込みホースをラヂエーターに取り付けるための連結部材がさらに付加されていることを特徴とする請求項２記載のヘッダータンクキット。
【発明の詳細な説明】
【技術分野】
【０００１】
本発明は、自動車などのエンジンの冷却に使用された冷却水の温度を低下させるためのラヂエーター、特に冷却水内のエアー抜きを行うヘッダータンクを容易に付設することができるラヂエーター及びこのラヂエーターに使用される部品を一組にしたヘッダータンクキットに関する。
【背景技術】
【０００２】
従来のラヂエーターとしては、図１１に示すようなものがある。図１１（ａ）に示すものは、プラスチック製の上下タンクの上部タンク1に注水口であるフィラーネック２が射出成形などにより一体に成形されたものである。図１１（ｂ）に示すものはアルミニウムなどの金属製のフィラーネック３をアルミニウムなどの金属製の上部タンク４とは別体に形成し、フィラーネック３を図示のごとく取り付け上部タンク４に溶接したものである。図１１（ｃ）に示すものは、上述したような従来のラヂエーターにおいてフィラーネック５にホース７を介してリザーバータンク６を接続し、フィラーネック５に圧力調整機能を具備した蓋体を装着したものである。図１１（ｄ）に示すものは、上部タンク８に特別に設けた接続用の孔にホース９を介して冷却水内のエアー抜きを行うヘッダータンク１０を取り付け、圧力調整機能が無い蓋体を取り付けたものである。
【発明の開示】
【発明が解決しようとする課題】
【０００３】
図１１（ａ）に示すものでは構造上フィラーネックは一体成形されているので他の部品と交換することはできない。図１１（ｂ）に示すものでもフィラーネック３は上部タンク４に溶接により一体化されているので他の部品と交換することはできない。
【０００４】
ところで、ラヂエーターの内部には冷却水が循環するが、循環ポンプの作用やその他の原因で冷却水内にエアーが混入する場合がある。エアーの混入は、ラヂエーターの損傷や故障の原因になるとともに、冷却効果を低下することにもつながる。
【０００５】
図１１（ｃ）に示すように、フィラーネック５にリザーバータンク６を接続しても、リザーバータンク６には冷却水内のエアーを除去する機能はないので、エアー抜きを行うことはできない。図１１（ｄ）に示すものでは、ヘッダータンク１０が取り付けられているのでエアー抜きを行うことはできるが、上部タンク８にホース９を接続するための接続用の孔などの加工を施さなければならない。この場合において、フィラーネックが装着されたままであるとエアー抜きの効果が低減するので除去することが好ましいが、その除去作業や除去後に蓋体部材の溶接作業などを行わなければならない。
【０００６】
本発明は係る事情に鑑みてなされたもので、本発明の目的は、簡単な操作によりヘッダータンクを取り付けたり外したりすることができるラヂエーター及びこれに使用する部品を一組にしたヘッダータンクキットを提供することである。
【課題を解決するための手段】
【０００７】
本発明の請求項１記載のラヂエーターは、エンジンなどの冷却に使用された冷却水が流入させられる上部タンクと、この上部タンクから冷却水を流入させ冷却する冷却通路と、この冷却通路から冷却水が流入させられる下部タンクとを備えたラヂエーターにおいて、蓋体が取り付けられるフィラーネック、及び、冷却水内のエアー抜きを行うヘッダータンクに接続される取付アダプターの双方に実質的に共通した構造の連結部分が形成され、前記上部タンクには前記フィラーネック又は前記取付アダプターの前記連結部分が着脱自在に嵌め込まれる取付部分が形成されていることを特徴とする。
【０００８】
本発明の請求項２記載のヘッダータンクキットは、請求項１記載のラヂエーターに使用される、前記取付アダプターと、前記ヘッダータンクと、前記取付アダプター及び前記ヘッダータンクを連結する吐き出しホースとを一組のキットにしたことを特徴とする。
【０００９】
本発明の請求項３記載のヘッダータンクキットは、前記ヘッダータンクと下部タンク側とを接続する引き込みホースと、この引き込みホースをラヂエーターに取り付けるための連結部材がさらに付加されていることを特徴とする。
【発明の効果】
【００１０】
本発明の請求項１記載のラヂエーターによれば、フィラーネックと取付アダプターとが着脱自在に装着できるので、フィラーネックを必要とする場合には取付部分にフィラーネックを取り付け、一方、ヘッダータンクを取り付ける場合には、取付アダプターを取付部分に取り付け、この取付アダプターに吐き出しホースを介してヘッダータンクを接続することができる。すなわち、フィラーネックを備えたラヂエーターからヘッダータンクの接続のできるラヂエーターに簡単に相互に変更することができる。また、フィラーネック及び取付アダプターは着脱自在に取り付けられ溶接などの加工がされないので、溶接加工時のラヂエーターへの障害もまったく発生しない。さらに、取付アダプターはフィラーネックと交換して取り付けられるので、フィラーネックがついたままになることがなくエアー抜き効果が低下することがない。
【００１１】
本発明の請求項２記載のヘッダータンクキットによれば、ヘッダータンクを装着する際に最低限必要とする、取付アダプター、取付アダプターに接続される吐き出しホース、吐き出しホースの他端に取り付けられるヘッダータンクを一組のキットにしたので、ヘッダータンクキットを用意すれば、ヘッダータンクを容易に装着することができる。
【００１２】
本発明の請求項３記載のヘッダータンクキットによれば、ヘッダータンクと下部タンク側とを接続する引き込みホースを装着する場合において必要となる、引き込みホースと、ラヂエーターに取り付けるための連結部材とがさらに付加されているので、ヘッダータンクキットを使用すれば冷却水の下部タンク側への引き込みを容易に行うことができる。
【発明を実施するための最良の形態】
【００１３】
本発明の一実施の形態に係るラヂエーターについて、図面を参照して説明する。
【００１４】
図１に示すように、本実施の形態のラヂエーター２０は、冷却水が流入口２１ａから流入させられる上部タンク２１と、この上部タンク２１から冷却水を流入させて冷却する冷却通路２２と、この冷却通路２２からの冷却水が流入し冷却水が流出させられる流出口２３ａを有する下部タンク２３とを備えて概略構成される。
【００１５】
本ラヂエーター２０においては、前記上部タンクには蓋体が取り付けられるフィラーネック２５又はヘッダータンクに接続される取付アダプター２６が着脱自在に嵌め込まれる取付部分２４が形成されている。取付部分２４は、上部タンク２１に溶接加工により固定しても、ねじ等の締結手段により取り付けるようにしても良い。図１（ｂ）、（ｃ）に示すように、フィラーネック２５及び取付アダプター２６の双方には実質的に共通した構造の連結部分２５ａ又は２６ａが形成されている。
【００１６】
図２に前記取付部分２４の具体的な構造を示す。同（ａ）は上面図、（ｂ）は側面図、（ｃ）は底面図である。取付部分２４は概略筒状をしており、その内周面にはフィラーネック２５及び取付アダプター２６に形成された連結部分２５ａ又は２６ａが着脱自在に挿入されてロックするフランジ部２４ａが一体的に形成されている。フランジ部２４ａは周方向に複数に分断されている。フランジ部２４ａを上面には、これらのフランジ部２４ａを覆うように板状部材２４ｂが嵌め込まれて固定されている。板状部材２４ｂの周縁には直径方向に並んで２個の切欠き部２４ｃが形成されている。
【００１７】
図３にフィラーネック２５の具体的な構造を示す。同（ａ）は上面図、（ｂ）は側面図、（ｃ）は底面図である。フィラーネック２５は、概略筒状の大径部２５ｂとこの大径部２５ｂの下部に連設された概略筒状の小径部２５ｃとを備えている。小径部２５ｃの下端部には、直径方向に２個の突起部２５ｄが形成されており、小径部２５ｃと突起部２５ｄとにより、前記連結部分２５ａを構成している。大径部２５ｂの上縁には圧力調整機能を備えた又は圧力調整機能を有しない蓋体のいずれかが取り付けられる２個一対のフランジ部２５ｅが形成されている。
【００１８】
図４に取付アダプター２６の具体的な構造を示す。同（ａ）は上面図、（ｂ）は側面図、（ｃ）は底面図、（ｄ）は他の側面図である。取付アダプター２６は、円形フランジ部２６ｆの上面に一体に成形され、ねじ孔２６ｇが形成されたホースジョイント部２６ｂと、円形フランジ部２６ｆの下面に連設された筒状部２６ｃとを備えている。筒状部２６ｃの下端部には、直径方向に２個の突起部２６ｄが形成されており、筒状部２６ｃと突起部２６ｄとにより前記連結部分２６ａを構成している。取付アダプター２６の左右どちら側にヘッダータンクを設置するかによって、前記ねじ孔２６ｇの一方には栓部材（図示せず）が、他方にはジョイント部材（図示せず）がねじ込まれる。
【００１９】
図５に実施の他の形態にかかる取付アダプター３６を示す。同（ａ）は上面図、（ｂ）は側面図、（ｃ）は底面図である。この取付アダプター３６は、円形フランジ部３６ｆの上面に一体に成形され、ねじ孔３６ｇが図中上下方向に形成されたホースジョイント部３６ｂと、円形フランジ部３６ｆの下面に連設された筒状部３６ｃとを備えている。筒状部３６ｃの下端部には、直径方向に２個の突起部３６ｄが形成されており、筒状部３６ｃと突起部２６ｄとにより前記した連結部分２６ａと同様な構造を形成している。前記ねじ孔２６ｇにはジョイント部材（図示せず）がねじ込まれる。
【００２０】
図６に取付部分２４にフィラーネック２５をかみ合わせた状態を示す部分断面図を示す。ラヂエーター２０の上部タンク２１の壁部に形成された貫通孔２１ｂに取付部分２４が嵌め込まれ、溶接により上部タンク２１に一体化されている。フィラーネック２５を取り付ける場合には、取付部分２４の板状部材２４ｂに形成された切欠き部２４ｃ内に、フィラーネック２５の小径部２５ｃに一体形成された突起部２５ｄを挿入して回転させ、突起部２５ｄを取付部分２４の内周面に形成されたフランジ部２４ａの内側で回転させて、取付部分２４とフィラーネック２５とを着脱自在に取り付ける。
【００２１】
図７に取付部分２４に取付アダプター２６をかみ合わせた状態を示す部分断面図を示す。取付アダプター２６を取り付ける場合には、取付部分２４の板状部材２４ｂに形成された切欠き部２４ｃ内に、取付アダプター２６の筒状部２６ｃに一体形成された突起部２６ｄを挿入して回転させ、突起部２６ｄを取付部分２４の内周面に形成されたフランジ部２４ａの内側で回転させて、取付部分２４と取付アダプター２６とを着脱自在に取り付ける。
【００２２】
図８に取付部分２４に他の形態の取付アダプター３６をかみ合わせた状態を示す部分断面図を示す。取付アダプター３６を取り付ける場合には、取付部分２４の板状部材２４ｂに形成された切欠き部２４ｃ内に、取付アダプター３６の筒状部３６ｃに一体形成された突起部３６ｄを挿入して回転させ、突起部３６ｄを取付部分２４の内周面に形成されたフランジ部２４ａの内側で回転させて、取付部分２４と取付アダプター３６とを着脱自在に取り付ける。
【００２３】
図９は本発明の実施の他の形態のラヂエーター４０について示す。このラヂエーター４０は、図１に示すラヂエーター２０と同様に、冷却水が流入口４１ａから流入させられる上部タンク４１と、この上部タンク４１から冷却水を流入させて冷却する冷却通路４２と、この冷却通路４２からの冷却水が流入し冷却水が流出させられる流出口４３ａを有する下部タンク４３とを備え、上部タンク４１にはフィラーネック４５又はヘッダータンクに接続される取付アダプター４６が着脱自在に嵌め込まれる取付部分が形成され、フィラーネック４５及び前記取付アダプター４６の双方には実質的に共通した構造の連結部分が形成されている。
【００２４】
本ラヂエーター４０の下部タンク４３には、引き込みホース接続口４３ｂが形成され、このホース接続口４３ｂには、図９（ｂ）に示すように、引き込みホースを接続するためのパイプ（接続部材）４３ｃが着脱自在に挿入される。
【００２５】
図９（ｃ）に示すように、前記取付部分に取付アダプター４６を着脱自在に取り付け、取付アダプターの接続部４６ａにシリコンゴム製の吐き出しホース４９ａを装着し、この吐き出しホース４９ａの他端をヘッダータンク４７の接続口に装着されたパイプ４７ｅに装着する。ヘッダータンク４７内には冷却水が流出させられ、冷却水に混入するエアーが除去される構造となっている。ヘッダータンク４７の上部には蓋体取付部分４７ａが形成され、この蓋体取付部分４７ａの上部には圧力調整機能を有した蓋体４７ｂが着脱自在に取り付けられる。蓋体取付部４７ａにはリザーバータンクが接続される。ヘッダータンク４７の下部の接続部４７ｃには引き込みホース４７ｄが装着され、引き込みホース４７ｄの他端は前記ホース接続口４３ｂに装着されたパイプ４３ｃに接続されている。接続口４７ｃからはヘッダータンク４７内でエアーが除去された冷却水が引き込みホース４７ｄを通って下部タンク４３に引き込まれる。
【００２６】
図１０（ａ）に、ラヂエーター２０に着脱自在に装着されたフィラーネック２５にホース２９ｂを介してリザーバータンク２９を装着した例を示す。本例では、リザーバータンク２９の上部には圧力調整機能を有しない蓋体２９ａが取り付けられ、フィラーネック２５には圧力調整機能を有する蓋体２５ｇがそれぞれ着脱自在に取り付けられている。
【００２７】
図１０（ｂ）に、ラヂエーター２０に着脱自在に装着されたフィラーネック２５に吐き出しホース２９ａを介してヘッダータンク２７を装着した例を示す。本例では、ヘッダータンク２７の上部には圧力調整機能を有する蓋体２７ａが取り付けられ、フィラーネック２５には圧力調整機能を有しない蓋体２５ｆが取り付けられている。ヘッダータンク２７の下部と下部タンク２３の接続口２３ｂとは引き込みパイプ２７ｄを介して接続され、冷却水をヘッダータンク２７内を通過させて冷却水に混入したエアーを除去し、下部タンクに戻すようにしている。
【００２８】
図１０（ｃ）に、ラヂエーター２０に着脱自在に取り付けられた取付アダプター２６に引き込みホース２９ａを介してヘッダータンク２７を装着した例を示す。本例でも、図１０（ｂ）と同様に、ヘッダータンク２７の上部には圧力調整機能を有する蓋体２７ａが取り付けられ、ヘッダータンク２７の下部と下部タンク２３の接続口２３ｂとは引き込みパイプ２７ｄを介して接続されている。
【００２９】
前記取付アダプター２６又は３６と、前記ヘッダータンク２７又は４７と、吐き出しホース２９ａ又は４９aとを一組のキットにして販売することが好ましい。このキットには、さらに引き込みホース２７ｄ又は４７ｄと、パイプ（連結部材）４３ｃが付加されていることが好ましい。このようなヘッダータンクキットを購入すればヘッダータンクなどの機器を直ちに取り付けることができ、極めて好適である。
【図面の簡単な説明】
【００３０】
【図１】本発明の実施の形態に係るラヂエーターを示す図である。
【図２】本発明の実施の形態に係るラヂエーターに使用される取付部分を示す図である。
【図３】本発明の実施の形態に係るラヂエーターに使用されるフィラーネックを示す図である。
【図４】本発明の実施の形態に係るラヂエーターに使用される取付アダプターを示す図である。
【図５】本発明の実施の形態に係るラヂエーターに使用される取付アダプターの他の例を示す図である
【図６】本発明の実施の形態に係るラヂエーターにおいてフィラーネックをラヂエーターに取り付けた状態を示す図である。
【図７】本発明の実施の形態に係るラヂエーターにおいて取付アダプターをラヂエーターに取り付けた状態を示す図である。
【図８】本発明の実施の形態に係るラヂエーターにおいて他の取付アダプターをラヂエーターに取り付けた状態を示す図である。
【図９】本発明の実施の他の形態に係るラヂエーターを示す図である。
【図１０】本発明の実施の形態に係るラヂエーターを示す図である。
【図１１】従来のラヂエーターを示す図である。
【符号の説明】
【００３１】
２０，４０    ラヂエーター
２１，４１    上部タンク
２２，４２    冷却通路
２３，４３    下部タンク
２４    取付部分
２４ａ    フランジ部
２４ｃ    切欠き部
２５，４５    フィラーネック
２６，３６，４６    取付アダプター
２５ｄ，２６ｄ，３６ｄ    突起（連結部分）
２７，４７    ヘッダータンク
２９ａ，４９ａ    吐き出しホース
２７ｄ，４７ｄ    引き込みホース
４３ｃ    パイプ（連結部材）
【図１】
2005249295.tif 000003
【図２】
2005249295.tif 000004
【図３】
2005249295.tif 000005
【図４】
2005249295.tif 000006
【図５】
2005249295.tif 000007
【図６】
2005249295.tif 000008
【図７】
2005249295.tif 000009
【図８】
2005249295.tif 000010
【図９】
2005249295.tif 000011
【図１０】
2005249295.tif 000012
【図１１】
2005249295.tif 000013